(57)【要約】【課題】高齢者や幼児など握力の弱い人が、タオルの両端部を確実で容易且つ迅速に把持できるようにすると共に、使い勝手を良くする。【解決手段】タオル本体１の両端部にポケット２，２を有し、該ポケット２，２は、タオル本体１の長手方向に対して横から手が挿入されるようにすると共に、親指を除く四本の指をポケット２，２に入れて親指はポケット２，２の外側に出して、左右両手の親指と親指を除く四本の指とでポケット２，２が挟持されるようにして把持できるようにしたことを特徴とするポケット付きタオルである。【選択図】図１
0003104176.tif 000002
【実用新案登録請求の範囲】
【請求項１】
タオル本体の両端部にポケットを有し、該ポケットは、タオル本体の長手方向に対して横から手が挿入されるようにすると共に、ポケットの一部が親指と親指を除く四本の指で挟持されるように構成されてなることを特徴とするポケット付きタオル。
【請求項２】
前記ポケットは、親指を除く四本の指が挿入されるように形成されてなることを特徴とする請求項１記載のポケット付きタオル。
【請求項３】
前記ポケットは、親指挿入部と親指を除く四本の指挿入部とが間仕切りされて形成されてなることを特徴とする請求項１記載のポケット付きタオル。
【請求項４】
前記ポケットは、親指挿入用ポケットと親指を除く四本の指挿入用ポケットとが隣接して個別に設けられてなることを特徴とする請求項１記載のポケット付きタオル。
【考案の詳細な説明】
【技術分野】
【０００１】
本考案は、握力の弱い人が、確実に両端部を掴むことのできるポケット付きタオルに関するものである。
【背景技術】
【０００２】
高齢者や幼児など握力の弱い人が、例えば入浴時に身体を洗うのにタオルの両端部を掴み、左右に動かしたりして洗うのは困難であった。
従来、タオルの両端部若しくは片端部に手袋やポケットを設けたものは周知されている。例えば、特許文献１には濡れた髪を乾かすことを主たる目的として、タオル状本体の左右両端部に五本指付き手袋部を設けた五本指手袋型多目的健康タオルが提示されており、特許文献２には石鹸やスポンジを入れることを主たる目的として、タオル本体の長手方向一端に、一辺をタオル本体の長手方向端辺と一致させたポケットを有するポケット付き浴用タオルが提示されている。
又、特許文献３には、高齢者や幼児などが入浴する際に使用することを主たる目的とした、タオル本体と、該タオル本体の両端部に設けられた手袋とを備えた浴用タオルであって、前記手袋を、親指のみを分離し、且つ他の指を同一の袋内に挿入するように形成し、さらに手袋の一側面に開口部を設けるか、又は手挿入口を傾斜状に形成して、親指が手袋の外部に露出可能に構成すると共に、手袋の後面部にポケットを設けた手袋付き浴用タオルが提示されている。
【特許文献１】登録実用新案第３０４７６４９号公報
【特許文献２】登録実用新案第３０２９０３０号公報
【特許文献３】特開２０００−２５４０３３号公報
【考案の開示】
【考案が解決しようとする課題】
【０００３】
しかしながら、上記特許文献１に記載される五本指手袋型多目的健康タオルにおいては、五本の指を別々に挿入する手袋型となっており、高齢者や幼児など握力の弱い人にとっては各指をそれぞれ挿入するのに甚だ面倒であったり、使用中に抜けたりして、高齢者や幼児など握力の弱い人が、例えば入浴時に背中を洗うのに使用するには使い勝手が悪いといった問題点があり、特許文献２に記載されるポケット付き浴用タオルにおいては、石鹸やスポンジを入れることを主たる目的としており、手や指を挿入して身体を洗うには適用し難い問題点がある。
【０００４】
又、特許文献３に記載される手袋付き浴用タオルにおいては、手袋への手の挿入が、タオルの長手方向内側から挿入するようになっており、手挿入時の親指が、手袋の外部に露出可能に形成されると共に、その他の指が同一の袋内に挿入されるようになっており、高齢者や幼児など握力の弱い人にとっては、手袋への手の着脱が迅速に行えず、身体の洗う部位によっては使い勝手が悪いといった問題点がある。
【課題を解決するための手段】
【０００５】
本考案は、上記背景技術における問題点に鑑みてなされポケット付きタオルを提供することを目的とし、その目的を達成するため、以下に記載するような手段を講じた。
すなわち、タオル本体の両端部にポケットを有し、該ポケットは、タオル本体の長手方向に対して横から手が挿入されるようにすると共に、ポケットの一部が親指と親指を除く四本の指で挟持されるように構成されてなることを特徴とするポケット付きタオルである。
【０００６】
前記ポケット付きタオルにおけるポケットは、親指を除く四本の指が挿入されるように形成されてポケットの一部が親指と親指を除く四本の指で挟持されるようにしてあるが、五本の指が全て挿入できるポケットにして、親指挿入部と親指を除く四本の指挿入部とが間仕切りされて形成されたものであっても良く、或いは親指挿入用ポケットと親指を除く四本の指挿入用ポケットとが隣接して個別に設けられたものであっても良い。
【０００７】
そして、上記手段を講ずることにより、ポケットへの着脱が容易且つ迅速に行えると共に、タオルの両端部を確実に把持でき、高齢者や幼児など握力の弱い人が両端部を把持して左右に移動させながら身体を洗うのにうまく適用され、使い勝手が良くなる。
【考案の効果】
【０００８】
本考案は、タオル本体の両端部に、タオルの長手方向に対し横から手を挿入するようにポケットを設けたから、高齢者や幼児など握力の弱い人でもポケットへの手の着脱が容易且つ迅速に行えると共に、使い勝手が良くなる。
【０００９】
又、手を挿入するポケットは、親指を除く四本の指を挿入するようにしたり、或いは親指と親指を除く四本の指が分離されて挿入されるようにポケットを間仕切りしたり、個別に隣接させてポケットを設けることにより、親指と親指を除く四本の指でポケットの一部が挟持されて、タオルの両端部が確実に把持され手がポケットから抜けるのを防止できる。
【考案を実施するための最良の形態】
【００１０】
本考案を実施するための最良の形態は、タオル本体の両端部にポケットを有し、タオル本体の長手方向に対し横から左右両手がそれぞれ挿入されるようにすると共に、親指と親指を除く四本の指でポケットの一部が挟持されるように構成された形態である。以下実施例にて図面を参照して述べる。
【実施例１】
【００１１】
本考案は、図１に示すようにタオル本体１の両端部にポケット２，２が縫い付けられ、該ポケット２，２の挿入口３，３は、タオル本体１の長手方向に対し横から左右両手の親指を除く四本の指が挿入されるようにして縫い付けられている。タオル本体１及びポケット２，２はタオル地の布が用いられる。
【００１２】
図２は左右両手４，４の親指４ａ，４ａを除く四本の指をポケット２，２の挿入口３，３に挿入してタオル本体１の両端部を把持した状態を示す斜視図であり、左右の手４，４の親指４ａ，４ａはポケット２，２の外側にあり、親指４ａ，４ａを除く四本の指はポケット２，２の中に入っていて、左右両手４，４の親指４ａ，４ａと、該親指を除く四本の指とでポケット２，２の一部が挟持されるようにしてある。
【００１３】
又、前記ポケット２，２は、五本の指が全て挿入されるようにして図３に示すように親指挿入部３ａと、親指を除く四本の指挿入部３ｂとを仕切り５で間仕切りしたり、或いは図４に示すように親指挿入用ポケット２ａと親指を除く四本の指挿入用ポケット２とを隣接させて個別に設けたりして、親指と親指を除く四本の指とでポケットが挟持されるようにしても良い。
【００１４】
そして、左右の手４，４が容易且つ迅速にポケットに挿入されると共に、左右両手の親指と親指を除く四本の指とでポケットが挟持されて、高齢者や幼児など握力の弱い人がタオルの両端部を把持して左右に移動させながら身体を洗うのにうまく適用され、使い勝手の良いポケット付きタオルとなる。
【産業上の利用可能性】
【００１５】
本考案はタオルのみならず、タオル状の垢擦りにも利用の可能性があり、浴場で高齢者や幼児など握力の弱い人の身体の垢落しにも供することができる。
【図面の簡単な説明】
【００１６】
【図１】本考案に係るポケット付きタオルの実施例を示す斜視図である。
【図２】左右両手をポケットに挿入してタオルの両端部を把持した状態を示す斜視図である。
【図３】ポケットの他の実施態様を示す要部斜視図である。
【図４】ポケットの他の実施態様を示す要部斜視図である。
【符号の説明】
【００１７】
１  タオル本体
２，２ａ  ポケット
３  挿入口
３ａ  親指挿入部
３ｂ  親指を除く四本の指挿入部
４  手
４ａ  親指
５  仕切り
【図１】
0003104176.tif 000003
【図２】
0003104176.tif 000004
【図３】
0003104176.tif 000005
【図４】
0003104176.tif 000006